(57)【特許請求の範囲】
【請求項１】
無線通信端末であって、
無線ＬＡＮ通信機能を具備した通信装置から該通信装置の接続アドレスを取得するアドレス取得部と、
前記アドレス取得部が取得した接続アドレスを用いて前記通信装置へ接続し、該通信装置へ無線ＬＡＮ通信を用いて接続するための接続設定情報を該通信装置から取得する設定情報取得部と、
前記設定情報取得部が取得した接続設定情報を当該無線通信端末に設定する無線ＬＡＮ設定部と、
前記無線ＬＡＮ設定部が設定した接続設定情報を用いて、前記通信装置との間で無線ＬＡＮ通信を行う無線ＬＡＮインタフェース部とを有する無線通信端末。
【請求項２】
請求項１に記載の無線通信端末において、
前記アドレス取得部は、前記通信装置のＵＲＬを前記接続アドレスとして取得することを特徴とする無線通信端末。
【請求項３】
請求項１または請求項２に記載の無線通信端末において、
前記設定情報取得部は、前記無線ＬＡＮインタフェース部が、前記設定されている接続設定情報を用いて前記通信装置との間で無線ＬＡＮ通信ができない場合、前記接続アドレスを用いて前記通信装置へ接続して前記接続設定情報をあらたに取得し、
前記無線ＬＡＮ設定部は、前記設定情報取得部があらたに取得した接続設定情報をあらたに設定し、
前記無線ＬＡＮインタフェース部は、前記無線ＬＡＮ設定部があらたに設定した接続設定情報を用いて、前記通信装置との間で無線ＬＡＮ通信を行うことを特徴とする無線通信端末。
【請求項４】
請求項１から３のいずれか１項に記載の無線通信端末において、
前記アドレス取得部は、前記通信装置に取り付けられたタグに記載されたコード情報を読み取り、該読み取ったコード情報から前記接続アドレスを取得することを特徴とする無線通信端末。
【請求項５】
請求項４に記載の無線通信端末において、
前記アドレス取得部は、前記タグに記載された図形、またはバーコード、または二次元コードを前記コード情報として読み取ることを特徴とする無線通信端末。
【請求項６】
請求項１から３のいずれか１項に記載の無線通信端末において、
前記アドレス取得部は、前記通信装置に取り付けられたタグに電子的に書き込まれたコード情報を、近距離無線通信を用いて読み取り、該読み取ったコード情報から前記接続アドレスを取得することを特徴とする無線通信端末。
【請求項７】
請求項６に記載の無線通信端末において、
前記タグは、ＲＦタグであることを特徴とする無線通信端末。
【請求項８】
無線ＬＡＮ通信機能を具備した通信装置であって、
前記無線ＬＡＮ通信を行う無線ＬＡＮインタフェース部と、
当該通信装置との間で無線ＬＡＮ通信を行うための接続設定情報を記憶する記憶部と、
当該通信装置へ接続する接続アドレスを提供する提供部と、
前記接続アドレスを用いて前記接続設定情報の取得の要求があった際、前記記憶部が記憶している前記接続設定情報を読み出して送信する接続設定情報送信部とを有する通信装置。
【請求項９】
無線ＬＡＮ通信機能を具備した通信装置から該通信装置の接続アドレスを取得する処理と、
前記取得した接続アドレスを用いて前記通信装置へ接続し、該通信装置へ無線ＬＡＮ通信を用いて接続するための接続設定情報を該通信装置から取得する処理と、
前記取得した接続設定情報を無線通信端末に設定する処理と、
前記設定した接続設定情報を用いて、前記通信装置と前記無線通信端末との間で無線ＬＡＮ通信を行う処理とを行う無線通信方法。
【請求項１０】
無線通信端末に、
無線ＬＡＮ通信機能を具備した通信装置から該通信装置の接続アドレスを取得する手順と、
前記取得した接続アドレスを用いて前記通信装置へ接続し、該通信装置へ無線ＬＡＮ通信を用いて接続するための接続設定情報を該通信装置から取得する手順と、
前記取得した接続設定情報を当該無線通信端末に設定する手順と、
前記設定した接続設定情報を用いて、前記通信装置との間で無線ＬＡＮ通信を行う手順とを実行させるためのプログラム。
【発明の詳細な説明】
【技術分野】
【０００１】
本発明は、無線通信を行う無線通信端末、通信装置、無線通信方法およびプログラムに関する。
【背景技術】
【０００２】
近年、無線ＬＡＮ（Ｌｏｃａｌ  Ａｒｅａ  Ｎｅｔｗｏｒｋ）対応の携帯電話機が開発され、当該携帯電話機における無線ＬＡＮ設定を支援する宅内通信機器が考えられている（例えば、特許文献１参照。）。
【０００３】
図７は、無線ＬＡＮ設定を支援する一般的な宅内通信機器を用いた無線通信システムの一形態を示す図である。
【０００４】
本形態は図７に示すように、無線ＬＡＮ親機として用いられる宅内通信機器７７と、サーバＩＳＰ事業者７８と、インターネット７９と、サーバ携帯電話事業者８０と、携帯電話基地局８１と、無線ＬＡＮ子機として用いられる無線ＬＡＮ対応の携帯電話８３とから構成されている。
【０００５】
また、宅内通信機器７７には、無線ＬＡＮインタフェース部７１と、無線ＬＡＮ設定登録部７２と、メール送信部７３と、ルータ７４と、モデム７５とが設けられている。
【０００６】
無線ＬＡＮインタフェース部７１は、携帯電話８３との間で無線ＬＡＮ接続を確立する。
【０００７】
無線ＬＡＮ設定登録部７２には、無線ＬＡＮ接続用の無線ＬＡＮ設定（接続設定情報）が登録されている。
【０００８】
メール送信部７３は、無線ＬＡＮ設定登録部７２に設定されている無線ＬＡＮ設定登録情報を電子メールで送信する。
【０００９】
ルータ７４は、無線ＬＡＮインタフェース部７１と、モデム７５とのやり取りができる。
【００１０】
モデム７５は、専用回線にてサーバＩＳＰ事業者７８と接続される。
【００１１】
サーバＩＳＰ事業者７８は、インターネット７９と接続され、さらに、サーバ携帯電話事業者８０経由で携帯電話基地局８１と接続されている。
【００１２】
携帯電話基地局８１は、無線電話網８２を介して携帯電話８３と接続されている。
【００１３】
また、無線ＬＡＮインタフェース部７１は、無線ＬＡＮ通信可能な場合、無線ＬＡＮ８４のＳＳＩＤ（Ｓｅｒｖｉｃｅ  Ｓｅｔ  Ｉｄｅｎｔｉｆｉｅｒ）を認識することができる。
【００１４】
また、宅内通信機器７７の筐体の表面には、携帯電話８３に無線ＬＡＮ設定を自動で行うための構成情報および電子メール設定可能な情報が含まれるＱＲ（Ｑｕｉｃｋ  Ｒｅｓｐｏｎｓｅ）コード７６が、携帯電話８３に設けられたＱＲコード（登録商標）リーダによる読み取り可能な形態で表示されている。
【００１５】
このようなＱＲコードが表示された無線ＬＡＮ親機では、電子メール機能を使用して無線ＬＡＮ暗号キーの変更を通知しているが、無線ＬＡＮ子機が変更通知を受けた場合、次回の無線ＬＡＮ親機への接続をスムーズにするため、設定変更を直ちに行うことになる。
【００１６】
また、ある特定の公衆回線へのトラフィック集中を避けるため、多数の無線ＬＡＮ親機を無線ＬＡＮ子機に接続設定していることや、昨今の無線ＬＡＮセキュリティーの強化のため、暗号キーが頻繁に変更される状況が生まれている。
【先行技術文献】
【特許文献】
【００１７】
【特許文献１】特開２００６−１５７８１４号公報
【発明の概要】
【発明が解決しようとする課題】
【００１８】
上述したような設定変更処理を行うと、無線ＬＡＮ子機の処理負荷の増大や、バッテリー浪費が生じてしまうおそれがある。
【００１９】
本発明の目的は、上述した課題を解決する無線通信端末、通信装置、無線通信方法およびプログラムを提供することである。
【課題を解決するための手段】
【００２０】
本発明の無線通信端末は、
無線ＬＡＮ通信機能を具備した通信装置から該通信装置の接続アドレスを取得するアドレス取得部と、
前記アドレス取得部が取得した接続アドレスを用いて前記通信装置へ接続し、該通信装置へ無線ＬＡＮ通信を用いて接続するための接続設定情報を該通信装置から取得する設定情報取得部と、
前記設定情報取得部が取得した接続設定情報を当該無線通信端末に設定する無線ＬＡＮ設定部と、
前記無線ＬＡＮ設定部が設定した接続設定情報を用いて、前記通信装置との間で無線ＬＡＮ通信を行う無線ＬＡＮインタフェース部とを有する。
【００２１】
また、本発明の通信装置は、
無線ＬＡＮ通信機能を具備した通信装置であって、
前記無線ＬＡＮ通信を行う無線ＬＡＮインタフェース部と、
当該通信装置との間で無線ＬＡＮ通信を行うための接続設定情報を記憶する記憶部と、
当該通信装置へ接続する接続アドレスを提供する提供部と、
前記接続アドレスを用いて前記接続設定情報の取得の要求があった際、前記記憶部が記憶している前記接続設定情報を読み出して送信する接続設定情報送信部とを有する。
【００２２】
また、本発明の無線通信方法は、
無線ＬＡＮ通信機能を具備した通信装置から該通信装置の接続アドレスを取得する処理と、
前記取得した接続アドレスを用いて前記通信装置へ接続し、該通信装置へ無線ＬＡＮ通信を用いて接続するための接続設定情報を該通信装置から取得する処理と、
前記取得した接続設定情報を無線通信端末に設定する処理と、
前記設定した接続設定情報を用いて、前記通信装置と前記無線通信端末との間で無線ＬＡＮ通信を行う処理とを行う。
【００２３】
また、本発明のプログラムは、
無線通信端末に実行させるためのプログラムであって、
無線ＬＡＮ通信機能を具備した通信装置から該通信装置の接続アドレスを取得する手順と、
前記取得した接続アドレスを用いて前記通信装置へ接続し、該通信装置へ無線ＬＡＮ通信を用いて接続するための接続設定情報を該通信装置から取得する手順と、
前記取得した接続設定情報を当該無線通信端末に設定する手順と、
前記設定した接続設定情報を用いて、前記通信装置との間で無線ＬＡＮ通信を行う手順とを実行させる。
【発明の効果】
【００２４】
以上説明したように、本発明においては、接続設定情報の取得による無駄な処理やバッテリー消費を避けることができる。
【図面の簡単な説明】
【００２５】
【図１】本発明の無線通信端末と通信装置とが配置された無線通信システムの実施の一形態を示す図である。
【図２】図１に示した宅内通信機器の内部構成の一例を示す図である。
【図３】図１に示した携帯電話の内部構成の一例を示す図である。
【図４】図１に示した形態における無線通信方法のうち、携帯電話が宅内通信機器の接続アドレスを取得してから無線ＬＡＮ接続するまでの処理の一例を説明するためのフローチャートである。
【図５】図１に示した形態における無線通信方法のうち、携帯電話が登録済みのＳＳＩＤを用いて無線ＬＡＮ接続を行う場合の処理の一例を説明するためのフローチャートである。
【図６】表示部に表示された確認画面の一例を示す図である。
【図７】無線ＬＡＮ設定を支援する一般的な宅内通信機器を用いた無線通信システムの一形態を示す図である。
【発明を実施するための形態】
【００２６】
以下に、本発明の実施の形態について図面を参照して説明する。
【００２７】
図１は、本発明の無線通信端末と通信装置とが配置された無線通信システムの実施の一形態を示す図である。
【００２８】
本形態は図１に示すように、無線ＬＡＮ親機として用いられる宅内通信機器７と、サーバＩＳＰ事業者８と、インターネット９と、サーバ携帯電話事業者１０と、携帯電話基地局１１と、無線ＬＡＮ子機として用いられる無線ＬＡＮ対応の携帯電話１３とから構成されている。
【００２９】
宅内通信機器７は、無線ＬＡＮ通信機能を具備した通信装置である。また、宅内通信機器７は、ＩＳＰ事業者と契約されており、サーバＩＳＰ事業者８経由でインターネット９と接続することができ、宅内通信機器７の接続アドレスであるＵＲＬ（Ｕｎｉｆｏｒｍ  Ｒｅｓｏｕｒｃｅ  Ｌｏｃａｔｏｒ）自体もＩＳＰ事業者によりインターネット９に公開できる状態である。
【００３０】
図２は、図１に示した宅内通信機器７の内部構成の一例を示す図である。
【００３１】
図１に示した宅内通信機器７には図２に示すように、無線ＬＡＮインタフェース部１と、無線ＬＡＮ設定登録部２と、サーバＵＲＬ登録部３と、ルータ４と、モデム５と、提供部６とが設けられている。
【００３２】
無線ＬＡＮインタフェース部１は、携帯電話１３との間で無線ＬＡＮ接続を確立し、携帯電話１３との間で無線ＬＡＮ通信を行う。
【００３３】
無線ＬＡＮ設定登録部２（記憶部）には、無線ＬＡＮ接続用（無線ＬＡＮ通信を行うため）の無線ＬＡＮ設定（接続設定情報：ＳＳＩＤ、暗号レベルおよび暗号キー）が登録されている。
【００３４】
サーバＵＲＬ登録部３（接続設定情報送信部）は、接続設定情報が登録されている宅内通信機器７に設定された接続アドレスであるＵＲＬを用いて、携帯電話１３から接続設定情報の取得の要求があった際、無線ＬＡＮ設定登録部２に設定されている接続設定情報を読み出して、モデム５経由で携帯電話１３へ送信する。なお、このＵＲＬは、宅内通信機器７のものでなくても、接続設定情報が格納されている装置のものであっても良い。
【００３５】
ルータ４は、無線ＬＡＮインタフェース部１と、モデム５とのやり取りができる。
【００３６】
モデム５は、専用回線にてサーバＩＳＰ事業者８と接続されている。このモデム５は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムだけではなく、光ファイバを用いた通信や、第三世代、第四世代の無線データ通信を利用した形態でもよい。
【００３７】
提供部６は、宅内通信機器７へ接続する接続アドレスであるＵＲＬを示すコード情報を提供する。例えば、提供部６は、宅内通信機器７に表示された、または宅内通信機器７の筐体表面に取り付けられたタグに記載された、図形、バーコード、または二次元コードをコード情報とするものであっても良い。また、提供部６は、これらのコード情報をディスプレイ等に電子的に表示するものであっても良い。また、提供部６は、これらのコード情報を、宅内通信機器７に取り付けられたＲＦ（Ｒａｄｉｏ  Ｆｒｅｑｕｅｎｃｙ）タグに電子的に書き込んでおくものであっても良い。
【００３８】
サーバＩＳＰ事業者８は、インターネット９と接続され、さらに、サーバ携帯電話事業者１０経由で携帯電話基地局１１と接続されている。
【００３９】
携帯電話基地局１１は、無線電話網１２を介して携帯電話１３と接続されている。
【００４０】
また、無線ＬＡＮインタフェース部１は、無線ＬＡＮ通信可能な場合、無線ＬＡＮ１４のＳＳＩＤを認識することができる。
【００４１】
携帯電話１３は、無線ＬＡＮ通信機能を具備した無線通信端末である。また、携帯電話１３は、携帯電話事業者と契約されており、無線電話網１２、携帯電話基地局１１およびサーバ携帯電話事業者１０経由で、インターネット９と接続することができる。
【００４２】
図３は、図１に示した携帯電話１３の内部構成の一例を示す図である。
【００４３】
図１に示した携帯電話１３には図３に示すように、無線電話網インタフェース部１５と、設定情報取得部１６と、アドレス取得部１７と、表示部２０と、記憶部２１と、無線ＬＡＮインタフェース部２２と、制御部２３とが設けられている。また、これらの構成要素が互いにバス２４を介して接続されている。なお、図３には、図１に示した携帯電話１３に設けられた構成要素のうち、本実施の形態に関わる主要な構成要素の一例を示す。
【００４４】
無線電話網インタフェース部１５は、無線電話網１２とのインタフェース機能を持つ。
【００４５】
設定情報取得部１６は、アドレス取得部１７が取得した接続アドレス（ＵＲＬ）を用いて無線電話網インタフェース部１５を介して宅内通信機器７へ接続し、無線ＬＡＮ通信を用いて接続するための接続設定情報を宅内通信機器７から取得する。この取得方法は、例えば、設定情報取得部１６が、接続設定情報の取得要求を示す要求信号を宅内通信機器７へ送信し、その応答として宅内通信機器７から返信された接続設定情報を取得するものであっても良く、特に規定しない。
【００４６】
アドレス取得部１７は、宅内通信機器７から宅内通信機器７の接続アドレスを取得する。
【００４７】
また、アドレス取得部１７は、撮影部１８と、復号化部１９とから構成されている。
【００４８】
撮影部１８は、宅内通信機器７の提供部６が提供（表示）しているコード情報を撮影する。このとき、撮影部１８は、提供部６であるタグに記載された図形、またはバーコード、または二次元コードをコード情報として読み取るものであっても良い。例えば、撮影部１８は、コード情報を光学的に読み取るカメラであっても良い。
【００４９】
復号化部１９は、撮影部１８が撮影した（読み取った）コード情報を復号化し、コード情報から接続アドレスであるＵＲＬを取得する。
【００５０】
なお、アドレス取得部１７は、撮影部１８の代わりに、ＲＦタグリーダを設けておき、宅内通信機器７の提供部６がコード情報をタグに電子的に書き込んでおいた場合、近距離無線通信を用いて、当該タグからコード情報を読み取るものであっても良い。
【００５１】
表示部２０は、情報を表示する。
【００５２】
記憶部２１（無線ＬＡＮ設定部）は、設定情報取得部１６が取得した接続設定情報を設定（記憶）する。ここで、記憶部２１は、不揮発性の記憶媒体等で構成され、設定された接続設定情報を所定の記憶領域に記憶する。また、記憶部２１は、制御部２３が実行するプログラムやデータを記憶する。また、記憶部２１は、アドレス取得部１７が取得した接続アドレスを記憶する。
【００５３】
無線ＬＡＮインタフェース部２２は、記憶部２１が設定した接続設定情報を用いて、宅内通信機器７との間で無線ＬＡＮ通信を行う。
【００５４】
制御部２３は、これらの構成要素を制御する。また、制御部２３は、記憶部２１にあらかじめ記憶されているデータやプログラム、あるいは新規にダウンロードされたプログラムを利用して各種の処理を実行する。
【００５５】
以下に、本形態における無線通信方法について説明する。
【００５６】
図４は、図１に示した形態における無線通信方法のうち、携帯電話１３が宅内通信機器７の接続アドレスを取得してから無線ＬＡＮ接続するまでの処理の一例を説明するためのフローチャートである。なお、ここでは、宅内通信機器７の提供部６に、宅内通信機器７のＵＲＬおよびアクセス用パスワードを示す二次元コードであるＱＲコードが表示されている場合を例に挙げて説明する。
【００５７】
まず、携帯電話１３の利用者の所定の操作に基づいて、撮影部１８が、宅内通信機器７の提供部６に表示されたコード情報であるＱＲコードを撮影すると（ステップＳ１）、撮影されたＱＲコードが読み込まれ、復号化部１９が、読み込まれたＱＲコードを復号化する（ステップＳ２）。
【００５８】
すると、復号化部１９がＱＲコードを復号化して得られた接続アドレスであるＵＲＬおよびアクセス用パスワードを記憶部２１が記憶する（ステップＳ３）。
【００５９】
続いて、設定情報取得部１６が、記憶部２１が記憶したＵＲＬへアクセス（接続）を行い（ステップＳ４）、アクセス用パスワードを送信することで（ステップＳ５）、宅内通信機器７へ接続設定情報を要求する。この要求の送信ルートは、携帯電話１３、無線電話網１２、携帯電話基地局１１、サーバ携帯電話事業者１０、インターネット９、サーバＩＳＰ事業者８、そして宅内通信機器７となる。
【００６０】
この要求に対して、宅内通信機器７のサーバＵＲＬ登録部３が無線ＬＡＮ設定登録部２に登録されている接続設定情報（ＳＳＩＤ、暗号レベルおよび暗号キー）を携帯電話１３へ送信する。この接続設定情報の送信ルートは、宅内通信機器７、サーバＩＳＰ事業者８、インターネット９、サーバ携帯電話事業者１０、携帯電話基地局１１、無線電話網１２、そして携帯電話１３となる。
【００６１】
宅内通信機器７から送信された接続設定情報を設定情報取得部１６が受信すると（ステップＳ６）、制御部２３が無線ＬＡＮ接続アプリケーションの設定を実行し（ステップＳ７）、取得した接続設定情報に含まれるＳＳＩＤを記憶部２１に設定し（ステップＳ８）、暗号レベルを記憶部２１に設定し（ステップＳ９）、暗号キーを記憶部２１に設定する（ステップＳ１０）。
【００６２】
そして、設定された各情報を用いて、無線ＬＡＮインタフェース部２２が、宅内通信機器７との間で無線ＬＡＮ接続を行う（ステップＳ１１）。
【００６３】
図５は、図１に示した形態における無線通信方法のうち、携帯電話１３が登録済みのＳＳＩＤを用いて無線ＬＡＮ接続を行う場合の処理の一例を説明するためのフローチャートである。
【００６４】
まず、記憶部２１に登録済みのＳＳＩＤが検出された場合（ステップＳ２１）、そのＳＳＩＤを用いて接続するかどうかを確認するための確認画面を表示部２０が表示する。
【００６５】
図６は、表示部２０に表示された確認画面の一例を示す図である。
【００６６】
図６に示すように、表示部２０には、検出されたＳＳＩＤと、接続を行うかどうかを選択するための表示が行われる。
【００６７】
この表示に対して行われた操作（入力）に基づいて、当該ＳＳＩＤを用いて接続するかどうかを制御部２３が判定する（ステップＳ２２）。
【００６８】
接続しない（何の操作もない）場合、処理は終了する。
【００６９】
一方、接続する場合、無線ＬＡＮインタフェース部２２が、当該ＳＳＩＤと、設定されている暗号レベルと、設定されている暗号キーとを用いて宅内通信機器７との接続処理を行う（ステップＳ２３）。
【００７０】
ステップＳ２３の処理を行った結果、宅内通信機器７との間で無線ＬＡＮ接続ができた場合、処理は終了する。
【００７１】
一方、ステップＳ２３の処理を行った結果、宅内通信機器７との間で無線ＬＡＮ接続ができない場合は、暗号レベルおよび暗号キーが変更されているため、変更後の暗号レベルおよび暗号キーを取得する必要がある。そのため、設定情報取得部１６は、記憶部２１に記憶されているＵＲＬへアクセス（接続）を行い（ステップＳ２４）、アクセス用パスワードを送信することで（ステップＳ２５）、宅内通信機器７へ接続設定情報を要求する。この要求の送信ルートは上述したものと同じである。
【００７２】
この要求に対して、宅内通信機器７のサーバＵＲＬ登録部３が接続設定情報を携帯電話１３へ送信する。宅内通信機器７から送信された接続設定情報を設定情報取得部１６が受信すると（ステップＳ２６）、制御部２３が取得した接続設定情報に含まれる暗号レベルを記憶部２１に設定し（ステップＳ２７）、暗号キーを記憶部２１に設定する（ステップＳ２８）。この接続設定情報の送信ルートは上述したものと同じである。
【００７３】
そして、設定された各情報を用いて、無線ＬＡＮインタフェース部２２が、携帯電話１３との間で無線ＬＡＮ接続を行う（ステップＳ２９）。
【００７４】
このようにして、暗号レベルおよび暗号キーを変更した携帯電話１３と宅内通信機器７との無線ＬＡＮ接続が完了する。
【００７５】
以上説明したように、本発明においては、以下に記載するような効果を要する。
【００７６】
第１の効果は、無線ＬＡＮ設定情報が登録されている無線ＬＡＮ親機のＵＲＬが事前にタグ等にコード情報として記録されているため、無線ＬＡＮ子機が無線ＬＡＮ親機側に初めて接続処理をする際に、手動でのわずらわしい設定をする必要が無いことである。
【００７７】
第２の効果は、無線ＬＡＮ親機が暗号レベルや暗号キーを変更した場合でも、当該ＵＲＬのサーバにその変更した情報を記録しておけば、無線ＬＡＮ子機は、すでに登録されているＳＳＩＤの無線ＬＡＮ接続にて手動でのわずらわしい設定をする必要が無いことである。
【００７８】
第３の効果は、無線ＬＡＮ親機の暗号レベルや暗号キーを変更したタイミングではなく、利用者が通信が必要と判断した場合にのみ、無線ＬＡＮ設定を実行させるようにしたことにより、設定変更不要な多くのＳＳＩＤ設定の変更が行われなくなることである。
【００７９】
上述した携帯電話１３に設けられた各構成要素が行う処理は、目的に応じてそれぞれ作製された論理回路で行うようにしても良い。また、処理内容を手順として記述したコンピュータプログラム（以下、プログラムと称する）を携帯電話１３にて読取可能な記録媒体に記録し、この記録媒体に記録されたプログラムを携帯電話１３に読み込ませ、実行するものであっても良い。携帯電話１３にて読取可能な記録媒体とは、フロッピー（登録商標）ディスク、光磁気ディスク、ＤＶＤ、ＣＤなどの移設可能な記録媒体の他、携帯電話１３に内蔵された記憶部２１、ＲＯＭ、ＲＡＭ等のメモリやＨＤＤ等を指す。この記録媒体に記録されたプログラムは、携帯電話１３に設けられた制御部２３にて読み込まれ、制御部２３の制御によって、上述したものと同様の処理が行われる。ここで、制御部２３は、プログラムが記録された記録媒体から読み込まれたプログラムを実行するコンピュータとして動作するものである。
【００８０】
上記の実施の形態の一部または全部は、以下の付記のようにも記載され得るが、以下には限られない。
（付記１）無線通信端末であって、
無線ＬＡＮ通信機能を具備した通信装置から該通信装置の接続アドレスを取得するアドレス取得部と、
前記アドレス取得部が取得した接続アドレスを用いて前記通信装置へ接続し、該通信装置へ無線ＬＡＮ通信を用いて接続するための接続設定情報を該通信装置から取得する設定情報取得部と、
前記設定情報取得部が取得した接続設定情報を当該無線通信端末に設定する無線ＬＡＮ設定部と、
前記無線ＬＡＮ設定部が設定した接続設定情報を用いて、前記通信装置との間で無線ＬＡＮ通信を行う無線ＬＡＮインタフェース部とを有する無線通信端末。
（付記２）前記アドレス取得部は、前記通信装置のＵＲＬを前記接続アドレスとして取得することを特徴とする、付記１に記載の無線通信端末。
（付記３）前記設定情報取得部は、前記無線ＬＡＮインタフェース部が、前記設定されている接続設定情報を用いて前記通信装置との間で無線ＬＡＮ通信ができない場合、前記接続アドレスを用いて前記通信装置へ接続して前記接続設定情報をあらたに取得し、
前記無線ＬＡＮ設定部は、前記設定情報取得部があらたに取得した接続設定情報をあらたに設定し、
前記無線ＬＡＮインタフェース部は、前記無線ＬＡＮ設定部があらたに設定した接続設定情報を用いて、前記通信装置との間で無線ＬＡＮ通信を行うことを特徴とする、付記１または付記２に記載の無線通信端末。
（付記４）前記アドレス取得部は、前記通信装置に取り付けられたタグに記載されたコード情報を読み取り、該読み取ったコード情報から前記接続アドレスを取得することを特徴とする、付記１から３のいずれか１項に記載の無線通信端末。
（付記５）前記アドレス取得部は、前記タグに記載された図形、またはバーコード、または二次元コードを前記コード情報として読み取ることを特徴とする、付記４に記載の無線通信端末。
（付記６）前記アドレス取得部は、前記通信装置に取り付けられたタグに電子的に書き込まれたコード情報を、近距離無線通信を用いて読み取り、該読み取ったコード情報から前記接続アドレスを取得することを特徴とする、付記１から３のいずれか１項に記載の無線通信端末。
（付記７）前記タグは、ＲＦタグであることを特徴とする、付記６に記載の無線通信端末。
（付記８）無線ＬＡＮ通信機能を具備した通信装置であって、
前記無線ＬＡＮ通信を行う無線ＬＡＮインタフェース部と、
当該通信装置との間で無線ＬＡＮ通信を行うための接続設定情報を記憶する記憶部と、
当該通信装置へ接続する接続アドレスを提供する提供部と、
前記接続アドレスを用いて前記接続設定情報の取得の要求があった際、前記記憶部が記憶している前記接続設定情報を読み出して送信する接続設定情報送信部とを有する通信装置。
（付記９）無線ＬＡＮ通信機能を具備した通信装置から該通信装置の接続アドレスを取得する処理と、
前記取得した接続アドレスを用いて前記通信装置へ接続し、該通信装置へ無線ＬＡＮ通信を用いて接続するための接続設定情報を該通信装置から取得する処理と、
前記取得した接続設定情報を無線通信端末に設定する処理と、
前記設定した接続設定情報を用いて、前記通信装置と前記無線通信端末との間で無線ＬＡＮ通信を行う処理とを行う無線通信方法。
（付記１０）無線通信端末に、
無線ＬＡＮ通信機能を具備した通信装置から該通信装置の接続アドレスを取得する手順と、
前記取得した接続アドレスを用いて前記通信装置へ接続し、該通信装置へ無線ＬＡＮ通信を用いて接続するための接続設定情報を該通信装置から取得する手順と、
前記取得した接続設定情報を当該無線通信端末に設定する手順と、
前記設定した接続設定情報を用いて、前記通信装置との間で無線ＬＡＮ通信を行う手順とを実行させるためのプログラム。
【符号の説明】
【００８１】
１，２２    無線ＬＡＮインタフェース部
２    無線ＬＡＮ設定登録部
３    サーバＵＲＬ登録部
４    ルータ
５    モデム
６    提供部
７    宅内通信機器
８    サーバＩＳＰ事業者
９    インターネット
１０    サーバ携帯電話事業者
１１    携帯電話基地局
１２    無線電話網
１３    携帯電話
１４    無線ＬＡＮ
１５    無線電話網インタフェース部
１６    設定情報取得部
１７    アドレス取得部
１８    撮影部
１９    復号化部
２０    表示部
２１    記憶部
２３    制御部
２４    バス
【図１】
0005541542.tif 000002
【図２】
0005541542.tif 000003
【図３】
0005541542.tif 000004
【図４】
0005541542.tif 000005
【図５】
0005541542.tif 000006
【図６】
0005541542.tif 000007
【図７】
0005541542.tif 000008